【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
第１の色のインクを吐出するためのノズルが所定のピッチで配列された第１のノズル列及び第２のノズル列と、前記第１の色とは異なる第２の色のインクを吐出するためのノズルが前記所定のピッチで配列された第３のノズル列とを少なくとも含む複数のノズル列を備え、前記第１乃至３のノズル列が前記ノズルの配列方向と交差する交差方向に配列されており、前記ノズルの配列方向において、前記第１のノズル列と前記第２のノズル列とが、一方のノズル列の隣接するノズル同士の間を他方のノズル列のノズルが補間するように配置された記録ヘッドと、記録媒体とを、前記交差方向に相対的に移動させながら各ノズル列のノズルからインクを吐出して記録を行なう記録装置であって、
前記第１のノズル列及び前記第２のノズル列のノズルからインクを吐出させて前記記録媒体上に複数の第１のパターンを形成させる第１の記録制御手段と、
前記記録媒体上に形成された前記複数の第１のパターンに対する前記交差方向における記録位置のずれ量がそれぞれ異なる複数の第２のパターンを、前記第３のノズル列からインクを吐出させて前記記録媒体上に形成させる第２の記録制御手段と、
前記交差方向における前記第１のノズル列と前記第３のノズル列との相対的な記録位置を調整するための、前記複数の第１のパターン及び前記複数の第２のパターンに基づく調整量を取得する取得手段と、を具備する
ことを特徴とする記録装置。
【請求項２】
インクを吐出するためのノズルが所定のピッチで配列された第１のノズル列及び第２のノズル列を少なくとも含む複数のノズル列を備え、前記第１及び第２のノズル列が前記ノズルの配列方向と交差する交差方向に配列され、前記ノズルの配列方向において、前記第１のノズル列と前記第２のノズル列とが、一方のノズル列の隣接するノズル同士の間を他方のノズル列のノズルが補間するように配置された記録ヘッドと、記録媒体とを、前記交差方向に相対的に往復移動させながら各ノズル列のノズルからインクを吐出して記録を行なう記録装置であって、
前記記録ヘッドの往方向への相対移動において、前記第１のノズル列及び前記第２のノズル列のノズルからインクを吐出させて前記記録媒体上に複数の第１のパターンを形成させる第１の記録制御手段と、
前記記録ヘッドの復方向への相対移動において、前記記録媒体上に形成された前記複数の第１のパターンに対する前記交差方向のずれ量がそれぞれ異なる複数の第２のパターンを、前記第１のノズル列からインクを吐出させて前記記録媒体上に形成させる第２の記録制御手段と、
前記往方向の相対移動と前記復方向の相対移動とにおける相対的な記録位置を調整するための、前記複数の第１のパターン及び前記複数の第２のパターンに基づく調整量を取得する取得手段と、を具備する
ことを特徴とする記録装置。
【請求項３】
前記第１のパターンを形成する前に、前記交差方向における前記第１のノズル列と前記第２のノズル列との相対的な記録位置を調整する
ことを特徴とする請求項１又は２記載の記録装置。
【請求項４】
前記第１の記録制御手段は、前記第１のパターンの形成に際して、前記第１のノズル列により形成されるパターンの前記交差方向の幅よりも、前記第２のノズル列により形成されるパターンの前記交差方向の幅を短くする
ことを特徴とする請求項１から３のいずれか１項に記載の記録装置。
【請求項５】
前記第１のノズル列及び第２のノズル列は、同一チップ内に配列されている
ことを特徴とする請求項１から４のいずれか１項に記載の記録装置。
【請求項６】
前記第１のノズル列と前記第２のノズル列とは前記配列方向に前記所定のピッチの半分の距離ずれて配置されている
ことを特徴とする請求項１から５のいずれか１項に記載の記録装置。
【請求項７】
インクを吐出するためのノズルが配列された第１のノズル列と第２のノズル列とを備える記録ヘッドと、記録媒体と、を前記ノズルの配列方向と交差する交差方向に相対的に移動させながら各ノズル列のノズルからインクを吐出して記録を行なう記録装置であって、
前記第１のノズル列から前記記録媒体上の同一位置に対して複数のインク滴を吐出させることにより前記記録媒体上に複数の第１のパターンを形成させる第１の記録制御手段と、
前記記録媒体上に形成された前記複数の第１のパターンに対する前記交差方向における記録位置のずれ量がそれぞれ異なる複数の第２のパターンを、前記第２のノズル列からインクを吐出させて前記記録媒体上に形成させる第２の記録制御手段と、
前記交差方向における前記第１のノズル列と前記第２のノズル列との相対的な記録位置を調整するための、前記複数の第１のパターン及び前記複数の第２のパターンに基づく調整量を取得する取得手段と、を具備する
ことを特徴とする記録装置。
【請求項８】
前記第１のノズル列及び前記第２のノズル列には、互いに同じ色のインクを吐出するためのノズルが配列されている
ことを特徴とする請求項７記載の記録装置。
【請求項９】
ユーザからの情報を入力する入力手段を更に具備し、
前記取得手段は、前記形成された前記複数の第１のパターン及び前記複数の第２のパターンに応じて前記ユーザにより前記入力手段を介して入力された情報に基づいて、前記調整値を取得する
ことを特徴とする請求項１、２及び７のいずれか１項に記載の記録装置。
【請求項１０】
記録媒体上に形成されたパターンを光学的に読み取る光学センサを更に具備し、
前記取得手段は、前記光学センサにより前記複数の第１のパターン及び前記複数の第２のパターンを読み取ることによって取得された当該パターンの濃度に基づいて前記調整値を取得する
ことを特徴とする請求項１、２及び７のいずれか１項に記載の記録装置。
【請求項１１】
第１の色のインクを吐出するためのノズルが所定のピッチで配列された第１のノズル列及び第２のノズル列と、前記第１の色とは異なる第２の色のインクを吐出するためのノズルが前記所定のピッチで配列された第３のノズル列とを少なくとも含む複数のノズル列を備え、前記第１乃至３のノズル列が前記ノズルの配列方向と交差する交差方向に配列されており、前記ノズルの配列方向において、前記第１のノズル列と前記第２のノズル列とが、一方のノズル列の隣接するノズル同士の間を他方のノズル列のノズルが補間するように配置された記録ヘッドと、記録媒体とを、前記交差方向に相対的に移動させながら各ノズル列のノズルからインクを吐出して記録を行なう記録装置における記録位置調整方法であって、
前記第１のノズル列及び前記第２のノズル列からインクを吐出させて前記記録媒体上に複数の第１のパターンを形成する工程と、
前記記録媒体上に形成された前記複数の第１のパターンに対する前記交差方向における記録位置のずれ量がそれぞれ異なる複数の第２のパターンを、前記第３のノズル列からインクを吐出させて前記記録媒体上に形成する工程と、
前記交差方向における前記第１のノズル列と前記第３のノズル列との相対的な記録位置を調整するための、前記複数の第１のパターン及び前記複数の第２のパターンに基づく調整量を取得する工程と、を含む
ことを特徴とする記録位置調整方法。
【請求項１２】
インクを吐出するためのノズルが所定のピッチで配列された第１のノズル列及び第２のノズル列を少なくとも含む複数のノズル列を備え、前記第１及び第２のノズル列が前記ノズルの配列方向と交差する交差方向に配列され、前記ノズルの配列方向において、前記第１のノズル列と前記第２のノズル列とが、一方のノズル列の隣接するノズル同士の間を他方のノズル列のノズルが補間するように配置された記録ヘッドと、記録媒体とを、前記交差方向に相対的に往復移動させながら各ノズル列のノズルからインクを吐出して記録を行なう記録装置における記録位置調整方法であって、
前記記録ヘッドの往方向への相対移動において、前記第１のノズル列及び前記第２のノズル列のノズルからインクを吐出させて前記記録媒体上に複数の第１のパターンを形成する工程と、
前記記録ヘッドの復方向への相対移動において、前記記録媒体上に形成された前記複数の第１のパターンに対する前記交差方向のずれ量がそれぞれ異なる複数の第２のパターンを、前記第１のノズル列からインクを吐出させて前記記録媒体上に形成する工程と、
前記往方向の相対移動と前記復方向の相対移動とにおける相対的な記録位置を調整するための、前記複数の第１のパターン及び前記複数の第２のパターンに基づく調整量を取得する工程と、を含む
ことを特徴とする記録位置調整方法。
【請求項１３】
インクを吐出するためのノズルが配列された第１のノズル列と第２のノズル列とを備える記録ヘッドと、記録媒体と、を前記ノズルの配列方向と交差する交差方向に相対的に移動させながら各ノズル列のノズルからインクを吐出して記録を行なう記録装置における記録位置調整方法であって、
前記第１のノズル列から前記記録媒体上の同一位置に対して複数のインク滴を吐出させることにより前記記録媒体上に複数の第１のパターンを形成する工程と、
前記記録媒体上に形成された前記複数の第１のパターンに対する前記交差方向における記録位置のずれ量がそれぞれ異なる複数の第２のパターンを、前記第２のノズル列からインクを吐出させて前記記録媒体上に形成する工程と、
前記交差方向における前記第１のノズル列と前記第２のノズル列との相対的な記録位置を調整するための、前記複数の第１のパターン及び前記複数の第２のパターンに基づく調整量を取得する工程と、を含む
ことを特徴とする記録位置調整方法。
【手続補正２】
【補正対象書類名】明細書
【補正対象項目名】００１４
【補正方法】変更
【補正の内容】
【００１４】
上記課題を解決するため、本発明の一態様は、第１の色のインクを吐出するためのノズルが所定のピッチで配列された第１のノズル列及び第２のノズル列と、前記第１の色とは異なる第２の色のインクを吐出するためのノズルが前記所定のピッチで配列された第３のノズル列とを少なくとも含む複数のノズル列を備え、前記第１乃至３のノズル列が前記ノズルの配列方向と交差する交差方向に配列されており、前記ノズルの配列方向において、前記第１のノズル列と前記第２のノズル列とが、一方のノズル列の隣接するノズル同士の間を他方のノズル列のノズルが補間するように配置された記録ヘッドと、記録媒体とを、前記交差方向に相対的に移動させながら各ノズル列のノズルからインクを吐出して記録を行なう記録装置であって、前記第１のノズル列及び前記第２のノズル列のノズルからインクを吐出させて前記記録媒体上に複数の第１のパターンを形成させる第１の記録制御手段と、前記記録媒体上に形成された前記複数の第１のパターンに対する前記交差方向における記録位置のずれ量がそれぞれ異なる複数の第２のパターンを、前記第３のノズル列からインクを吐出させて前記記録媒体上に形成させる第２の記録制御手段と、前記交差方向における前記第１のノズル列と前記第３のノズル列との相対的な記録位置を調整するための、前記複数の第１のパターン及び前記複数の第２のパターンに基づく調整量を取得する取得手段と、を具備する。